(57)【要約】【課題】コストアップの少ない簡単な構成で、調理中にのみ油煙中の油分を除去でき、省エネルギーにも繋がるフライヤーを提供する。【解決手段】ハウジング２の上方に、排気管９を内部に収容し、排気管９の先端に当たる部位に絞り２５を設けた外管２１と、絞り２５よりも下方位置で外管２１と連通して設けられ、油槽３側に向けたグリスフィルタ２４付の吸込口２３を有する油煙吸込部２２とからなる排気装置２０を設けて、排気管９からの燃焼排気の排出に伴い、油槽３から発生する油煙を吸込口２３から吸い込んで燃焼排気と共に外管２１から排出可能とした。【選択図】図１
2009082198.tif 000002
【特許請求の範囲】
【請求項１】
ハウジング内の上方に、油が満たされる油槽と、その油槽内の油を加熱する燃焼加熱手段とを備える一方、前記ハウジングにおける前記油槽の後方に、前記燃焼加熱手段の燃焼排気を排出する排気管を上方へ向けて突設したフライヤーであって、
前記ハウジングの上方に、前記排気管を内部に収容し、前記排気管の先端に当たる部位に絞りを設けた外管と、前記絞りよりも下方位置で前記外管と連通して設けられ、前記油槽側に向けたフィルタ付の吸込口を有する油煙吸込部とからなる排気装置を設けて、前記排気管からの燃焼排気の排出に伴い、前記油槽から発生する油煙を前記吸込口から吸い込んで前記燃焼排気と共に前記外管から排出可能としたことを特徴とするフライヤー。
【請求項２】
前記油煙吸込部を、前記油槽の上方側へ突出状態で設けたことを特徴とする請求項１に記載のフライヤー。
【発明の詳細な説明】
【技術分野】
【０００１】
本発明は、油槽に収容した油をパルス燃焼器等の燃焼加熱手段で加熱し、当該油槽に食材を投入して加熱調理するフライヤーに関する。
【背景技術】
【０００２】
フライヤーは、ハウジング内の上方に、調理用の油が収容される油槽と、この油槽内の油を加熱するパルス燃焼器等の燃焼加熱手段とを備え、油槽内の油を燃焼加熱手段で所定温度に加熱して食材を投入することで、食材の加熱調理が可能となっている。この場合、フライヤーから発生する油煙を厨房内等に充満させないように、フライヤーの上方に排気装置が設置されることが多い。この排気装置は、特許文献１に示すように、ケーシングにおける油槽に最も近い最下位置に、油煙からの油分を除去するためのグリスフィルタを傾斜姿勢で設け、ケーシング内の上方にファンを、前方に排気口を設けた構成となっている。
よって、ファンの運転により、調理中に生じた油煙は、グリスフィルタを介してケーシング内に吸い込まれ、排気口から排出され、油煙中の油分は、グリスフィルタを通過する際にグリスフィルタに付着して除去されることになる。
【０００３】
【特許文献１】特開２００５−２５７１２３号公報
【発明の開示】
【発明が解決しようとする課題】
【０００４】
このようなフライヤーにおいては、燃焼加熱手段が動作しない非調理時には燃焼排気や油煙が発生しないため、ファンの運転は不要であるが、調理時と非調理時とにいちいちファンのＯＮ／ＯＦＦを切替操作するのは面倒で、常に運転中とする場合が多い。このため、電力の無駄になる上、非調理時に油からの放熱量が多くなることで、保温や調理再開に要する加熱量が多くなってガスの消費量も増えることになる。ファンモータをコントローラに接続してファンの運転を燃焼加熱手段の動作に連動させることも考えられるが、余計な回路構成が必要となり、コストアップに繋がる。
【０００５】
そこで、本発明は、コストアップの少ない簡単な構成で、調理中にのみ油煙中の油分を除去でき、省エネルギーにも繋がるフライヤーを提供することを目的としたものである。
【課題を解決するための手段】
【０００６】
上記目的を達成するために、請求項１に記載の発明は、ハウジングの上方に、排気管を内部に収容し、排気管の先端に当たる部位に絞りを設けた外管と、絞りよりも下方位置で外管と連通して設けられ、油槽側に向けたフィルタ付の吸込口を有する油煙吸込部とからなる排気装置を設けて、排気管からの燃焼排気の排出に伴い、油槽から発生する油煙を吸込口から吸い込んで燃焼排気と共に外管から排出可能としたことを特徴とするものである。
請求項２に記載の発明は、請求項１の構成において、油煙の吸込を効果的に行うために、油煙吸込部を、油槽の上方側へ突出状態で設けたことを特徴とするものである。
【発明の効果】
【０００７】
請求項１に記載の発明によれば、排気管からの燃焼排気の排出を利用して油煙を吸い込むようにしているので、ファンを設けなくても加熱調理の際にのみ油煙中の油分を除去できる。よって、構成が簡単となってコストアップが少なくて済む。また、非調理時での油の放熱が抑えられるため、保温や調理再開に要する加熱量が少なくなって省エネルギーにも繋がる。
請求項２に記載の発明によれば、請求項１の効果に加えて、突出状態の油煙吸込部により、油煙の吸込を効果的に行うことができる。
【発明を実施するための最良の形態】
【０００８】
以下、本発明の実施の形態を図面に基づいて説明する。
図１は、フライヤーの一例を示す説明図で、左が正面、右が側面を夫々示す。フライヤー１は、ハウジング２内に、油が満たされる油槽３と、この油槽３内の油を加熱する燃焼加熱手段としてのパルス燃焼器４と、油を濾過するオイルクリーナ５とを夫々備えている。パルス燃焼器４は、油槽３内に設けられてパルス燃焼が行われる燃焼室６と、その燃焼室６からの燃焼排気が通過するテールパイプ７と、テールパイプ７の下流側に接続されて油槽３の両サイドに設けられるデカプラ８，８と、両デカプラ８，８の下流側に接続され、ハウジング２の後方に立設された壁状の立ち上げ部２ａの中央に設置される排気管９とからなる燃焼排気系を有している。１０は排気管９の途中に設けられたマフラーである。
【０００９】
１１は、各油槽３の正面側外部に設けられたエアチャンバで、燃焼室６と連通する図示しない混合室を内設し、ハウジング２の底面に設けられたファン１２からマフラー１３及び給気管１４を介して燃焼用空気が供給可能となっている。また、エアチャンバ１１内の混合室に接続されたガス導管１５には、パルス燃焼器４への燃料ガスの供給路を開閉制御する２つの電磁弁と、ガス圧を調整するガスガバナとを備えた点滅器１６が設けられている。
【００１０】
また、ハウジング２の正面側下部には、バーナコントローラ１７が設けられている。このバーナコントローラ１７には、点滅器１６の電磁弁と油槽３内に設けた図示しない温度センサとが接続されており、バーナコントローラ１７は、温度センサからの温度検出信号に基づいて、油槽３内の油温を調理温度（例えば１８０℃〜１８２℃）に維持するように、点滅器１６の電磁弁を開閉させて燃焼室６内での混合気の燃焼を断続的に行うＯＮ／ＯＦＦ制御を実行可能となっている。１８は、ハウジング２の正面側上部に設けられて操作ボタンや表示部等を備え、調理モードや保温モード、調理温度等を設定してバーナコントローラ１７に入力指示するためのフライコントローラである。
【００１１】
そして、ハウジング２の立ち上げ部２ａでは、排気管９が貫通して上方へ突出し、この立ち上げ部２ａの上部に、排気装置２０が設けられている。この排気装置２０は、排気管９を同軸で内部に収容する外管２１と、油槽３の上方で前方へ行くに従って高くなる傾斜状の吸込口２３を有して外管２１に連通し、吸込口２３にグリスフィルタ２４を備えた油煙吸込部２２とからなり、外管２１の上端が図示しない排気ダクトに接続されている。
また、外管２１内の排気管９は、油煙吸込部２２よりも上端が高くなるように上方へ突設されて、外管２１における排気管９の上端に当たる部位には、全周に亘って形成されたくびれによって開口面積が狭くなる絞り２５が設けられている。
【００１２】
以上の如く構成されたフライヤー１においては、油槽３に油を満たし、フライコントローラ１８で所定の調理モードの調理指示を行うと、バーナコントローラ１７は、燃焼室６内で混合気を燃焼させてパルス燃焼器４を動作させ、油を調理温度まで加熱して、パルス燃焼器４のＯＮ／ＯＦＦ制御で調理温度を維持する。よって、食材をバスケットを介して油槽３内に投入すると、食材は高温の油によって加熱調理される。
【００１３】
そして、燃焼室６内で生じた燃焼排気は、テールパイプ７からデカプラ８に排出され、実線矢印で示すように排気管９から排気装置２０の外管２１内に排気され、外管２１内を上昇して排気ダクトから外部へ排気されることになるが、この燃焼排気の上昇によるドラフト効果と、絞り２５内に生じる負圧とによって、吸込口２３から油煙吸込部２２内に外気が吸い込まれ、外管２１内で燃焼排気と合流して上昇する。よって、油槽３から発生した油煙も、点線矢印で示すように吸込口２３から油煙吸込部２２内に吸い込まれて外管２１から燃焼排気と共に排出されるが、グリスフィルタ２４を通過する際に油煙中の油分がグリスフィルタ２４に付着して除去される。なお、加熱調理が終了したり中断したりすると、排気管９からの燃焼排気の排出が停止するため、吸込口２３からの油煙の吸込も停止することになる。
【００１４】
このように、上記形態のフライヤー１によれば、ハウジング２の上方に、排気管９を内部に収容し、排気管９の先端に当たる部位に絞り２５を設けた外管２１と、絞り２５よりも下方位置で外管２１と連通して設けられ、油槽３側に向けたグリスフィルタ２４付の吸込口２３を有する油煙吸込部２２とからなる排気装置２０を設けて、排気管９からの燃焼排気の排出に伴い、油槽３から発生する油煙を吸込口２３から吸い込んで燃焼排気と共に外管２１から排出可能としたことで、ファンを設けなくても加熱調理の際にのみ油煙中の油分を除去できる。よって、構成が簡単となってコストアップが少なくて済む。また、非調理時での油の放熱が抑えられるため、保温や調理再開に要する加熱量が少なくなって省エネルギーにも繋がる。
特にここでは、油煙吸込部２２を、油槽３の上方側へ突出状態で設けているので、油煙の吸込を効果的に行うことができる。
【００１５】
なお、上記形態では、排気管を一本のみ設けた構造となっているが、排気管が複数本ある場合は、夫々排気管ごとに同様に絞りを備えた外管内に収容して、油煙吸込部を全ての外管と連通させて設けたり、全ての排気管を断面長円状の外管内に収容して、各排気管の先端と対応する部位に絞りを設けたりすればよい。また、絞りは、全周に亘って形成したくびれによって設ける構造に限らず、周方向へ断続的に形成した複数の凹部で得たり等の設計変更が可能で、外管内に、流路を狭くする別体の筒体やリング状の板体等を収容して設けるようにしても差し支えない。
さらに、油煙吸込部は、上記形態では吸込口を傾斜状としているが、油槽の真上で水平に開口させてもよいし、外管からの突出量を減らすようにしてもよい。
【００１６】
その他、フライヤー側では、燃焼加熱手段はパルス燃焼器に限らず、ガスバーナを用いたものであってもよいし、単一の油槽を有するタイプに限らず、一対の油槽を有するフライヤー等であっても本発明は適用可能である。
【図面の簡単な説明】
【００１７】
【図１】フライヤーの説明図で、左が正面、右が側面を夫々示す。
【符号の説明】
【００１８】
１・・フライヤー、２・・ハウジング、２ａ・・立ち上げ部、３・・油槽、４・・パルス燃焼器、５・・オイルクリーナ、６・・燃焼室、９・・排気管、１７・・バーナコントローラ、１８・・フライコントローラ、２０・・排気装置、２１・・外管、２２・・油煙吸込部、２３・・吸込口、２４・・グリスフィルタ、２５・・絞り。
【図１】
2009082198.tif 000003